(57)【要約】前部外側パネル１、パンツの後部パネル２、パンツの２つの同一の側部パネル４、および２つの部品からなる前部内側パネル１８を有する、陰茎のための分離スペースを有する男性用パンツ。後部パネル２は、後部パネル２の裾３を各側部パネル４の裾６に接続することにより、後部パネル２の各側の１つの側部パネルに接続される。パンツは、２つ部品からなる内側前部パネル１８を、裾５を介して側部パネル４の各々と接続することによって最終的なレイアウトを行い、それによって、前部外側パネル１は、裾（２２，５）を介して側部パネル４に接続される。陰茎用の分離スペースは、前部外側パネル１と２つの部品からなる前部内側パネル１８によって形成される。失禁問題に関して男性のパンツを考慮すると、解決策は、本質的に、健康な男性が使用する男性のパンツの解決法と同じである。最後に、本発明による失禁用レセプタクルは、開示された男性のパンツに適合するように設計されている。
2017526827.tif 000002
【特許請求の範囲】
【請求項１】
前部外側パネル（１）、パンツの後部パネル（２）、２つの同一の側部パネル（４）、および２つの部品からなる前部内側パネル（１８）を有する陰茎用の分離スペースを有する男性用パンツであって、陰茎用の分離スペースは、前部外側パネル（１）および２つの部品からなる前部内側パネル（１８）によって形成され、前記外側パネル（１）および前記２つの部品からなる全部内側パネル（１８）は前記側部パネル（４）に接続され、前記２つの部品からなる前部内側パネル（１８）は第一の内側パネル（９）と第二の内側パネル（１０）とから形成され、前記第一の内側パネル（９）および前記第二の内側パネル（１０）の湾曲した裾（１９、２０）は、分離スペースに陰茎を挿入するための円形状の自己調節可能の開口部（８）を形成し、前記自己調節可能の開口部（８）は分離スペースから陰茎が落下するのを防止する方法で陰茎を取り囲み、前記パンツは、前記第一の内側パネル（９）および前記第二の内側パネル（１０）が、形状が同一で、裾（１６、１７）によって互いに接続され、前記第一および第二の内側パネル（９、１０）は前記第一および第二のパネル（９、１０）から反対側の側部パネル（４）にそれぞれ前記裾（１３、１４）によって接続され、それによって前記第一および第二の内側パネル（９、１０）とは、それぞれ前記第一および第二の内側パネル（９、１０）と同じ側で、それぞれ裾（１１、１２）の一部の長さまたは全長によって側部パネル（４）に接続されることを特徴とする前記男性用パンツ。
【請求項２】
前記前部外側パネル（１）が２つの同一の部品からなることを特徴とする、請求項１に記載する男性用パンツ。
【請求項３】
前記第一の内側パネル（９）および前記第二の内側パネル（１０）が裾（１５）を裾（２３）に取付けることによって前記前部外側パネル（１）に接続されることを特徴とする、請求項２に記載する男性用パンツ。
【請求項４】
前記パネル（９）および前記パネル（１０）の両方が、前記パネル（９）および前記パネル（１０）と同じ側の前記側部パネル（４）にそれぞれ裾（１１）および裾（１２）の全長によって接続されることを特徴とする、請求項３に記載の男性用パンツ。
【請求項５】
前記パネル（９）および前記パネル（１０）の少なくとも１つが、前記パネル（９）または前記パネル（１０）と同じ側の側部パネル（４）に、前記裾（１１）または前記裾（１２）の長さの一部によってのみ接続されており、もう一方の前記パネル（９）または前記パネル（１０）が、前記裾（１１）または前記裾（１２）の全長によって前記側部パネル（４）に接続されていることを特徴とする、請求項３に記載の男性用パンツ。
【請求項６】
少なくとも１つの前記湾曲した裾（１９,２０）が分離スペースに陰茎の挿入を可能にするための手段（２１）を有することを特徴とする、請求項１〜５のいずれか一項に記載する男性用パンツ。
【請求項７】
前記挿入を可能にする手段がループであることを特徴とする、請求項６に記載する男性用パンツ。
【請求項８】
請求項１に記載の男性用パンツのパネル（１、１８）内にフィットする前記パネル（１）と同じ形状および寸法を有し、失禁用レセプタクル（２４）が陰茎を受け入れることを可能にするために、開口（２７）が失禁用レセプタクルの上部から請求項１に記載の男性用パンツの開口部（８）の下端まで延びていることを特徴とする、失禁用レセプタクル。
【請求項９】
前記開口（２７）がＵ形状を有することを特徴とする、請求項８に記載する失禁用レセプタクル。
【請求項１０】
前記開口（２７）が、請求項１に記載する男性用パンツにレセプタクルを固定するための手段を有することを特徴とする、請求項９に記載する失禁用レセプタクル。
【請求項１１】
請求項１に記載する男性用パンツにレセプタクルを固定するための前記手段が、請求項１に記載する男性用パンツの開口部（８）を囲む前記開口（２７）の部分に沿って配置される粘着性材料からできていることを特徴とする、請求項１０に記載する失禁用レセプタクル。
【請求項１２】
前記失禁用レセプタクルの両内側（２５、２６）が液体吸着または吸収層を備えることを特徴とする、請求項８〜１１のいずれか一項に記載する失禁用レセプタクル。
【請求項１３】
身体から離れた内側（２６）のみが液体吸着または吸収層を備え、身体に近い内側（２５）は不浸透性層のみを含むことを特徴とする、請求項８〜１１のいずれか一項に記載する失禁用レセプタクル。
【請求項１４】
前記液体吸着または吸収層が、使用者の身体から離れた失禁用レセプタクルの内側（２６）と身体に近い失禁用レセプタクルの内側（２５）の下部の両方に備えられることを特徴とする、請求項８〜１１のいずれか一項に記載する失禁用レセプタクル。
【発明の詳細な説明】
【技術分野】
【０００１】
本発明は、男性用下着、特に、前部内側に、陰茎と睾丸とを物理的に分離する別個のスペースを有する男性用パンツに関する。国際特許分類では、Ａ４１  Ｂ  ９／０２に分類される。
【０００２】
陰茎用の分離スペースを有する男性用パンツは、ＰＣＴ特許出願番号ＰＣＴ／ＨＲ２０１０／００００２５およびＰＣＴ／ＨＲ２０１２／００００１４から知られ、それらの衛生的および健康的特性および身体的不快感に関連する現在の裁断の欠陥を排除する。陰茎のための分離スペースは、ブリーフの前部の内側、前方外側インサートと前方内側インサートとの間に位置する。睾丸は、脚の間の通常の位置に保持され、別々の空間内に位置する陰茎から物理的に分離され、その結果、陰茎が睾丸を押圧したり、温めたり擦ったりしないようにする。身体の動きおよびその位置に関係なく、陰茎は常に本発明の本質および機能を完全に満たす分離したスペース内にとどまる。陰茎スペースの位置および幅は、パンツ全体およびその特定の部分の両方の形状、裁断およびデザインに調節される。
【０００３】
［技術課題と背景技術］
陰茎と睾丸はお互いに擦れるが、これは衛生面や健康上の観点からは良くない。これらの位置のために、これらの器官は常に発汗にさらされている。特に悪い影響は、排尿後に残った尿の滴から生じる。一定の接触と摩擦によって、陰茎が睾丸をさらに暖かくし、それは男性の不妊の原因の一つである。身体にしっかりとくっ付いているパンツも、陰茎と睾丸の不快な狭窄を引き起こす。
【０００４】
ＰＣＴ特許出願番号ＰＣＴ／ＨＲ２０１０／００００２５によって解決される技術的問題は、現在存在する男性用パンツの快適さを、陰茎のための分離したスペースで改善すると定義することができる。しかし、上述の特許出願によって開示された解決策にはいくつかの欠点がある。主な欠点は、製造プロセスの最終段階にある。男性用ブリーフの製造工程の最終工程において、引用文献に開示された発明によれば、Ｃ部およびＤ部を互いに縫い合わせてＢ’部を形成し、Ｂ’部をＢ部に縫い付けなければならない。部品Ｂ’の部品Ｂへの縫製中に、部品Ｂ’は引っ張られ、部品Ｂの端部に向かって固定され、開口部の長期にわたる機能的な形成を可能にする。その結果、開口部は十分に自己調節可能な緊張性を有していない。さらに、各人は部分Ｂ’を異なるように引っ張って固定し、その結果、部分Ｂ’の異なる緊張性となり、その結果開口部の緊張性が異なり、開口部の機能が短く弱くなる可能性がある。さらに、開口部の緊張性の不均一性は、大量生産の場合に克服する必要があるものである。
【０００５】
本発明によれば、内側パネルは、長期持続する自己調節可能な開口部の形成を可能にするように、外側パネルの前のパンツの残りの部分に接続されている。本発明の製造中に、内側パネルを引っ張ったりおよび／または固定する必要はない。本発明の開口部は、任意の同じ位置に留まる。何故ならば、内側パネル９の一方とパネル９の反対側からの側部パネル４の接続が開口部を形成する内側パネルの一方の側の部品を引っ張るからである。同じことが、内側パネル１０およびパネル１０の反対側からの側部パネル４に対しても変更すべきところを変更すれば成り立つ。したがって、本発明は、引用文献に開示されているパンツ開口部の不十分な緊張性の問題に対する解決策、と同様に自己調節可能な開口部の解決策をも提供する。これらの問題の解決策として、パンツの部品を完全に再設計する必要がある。プロセス中、引用した文献によれば、部品ＣおよびＤのような多くの湾曲部を有する複雑な部品は回避され、非常に重要な問題の１つの解決策と見なすことができる副産物の大幅な減少につながる。
【０００６】
最後に、開口部は、２つの内側パネル９，１０のうちの一方が他方の上にあるという事実に依存して、陰茎のための優先する側の個別の選択を提供するために、パンツの中心線のわきに配置する必要はない。他のパネルの上にあるパネルは、他のパネルよりも身体から遠いパネルである。パネル９がパネル１０の上にある場合、パネル１０の側の陰茎の位置決めが提供される。パネル１０がパネル９の上部にある場合、陰茎の位置決めは、他の側に提供される。失禁問題に関する問題の解決に対する本発明の利点も文書ＰＣＴ／ＨＲ２０１２／００００１４に開示されていることと同じことが変更すべき箇所を変更すれば適用される。
【０００７】
本発明にしたがった陰茎のための分離したスペースを有する男性用パンツは、男性の健康を目的として下着の非常に有用な部分を作り、多くの実施態様において、そして失禁問題などのさまざまな目的のために、同様にスポーツマンのために非常に経済的に製造することができる。それには、この種の従来知られているパンツに関する本質的な改善が含まれる。
【０００８】
用語「接合された」および名詞、動詞、形容詞、取り付けられたなどの同義語などの形態の前記用語の他のすべての変更は、縫製によって、またはパンツおよび／または失禁用レセプタクルの上述したパネル（部品）の間に接合部を提供し得る、任意の他の技術によってパンツおよび／または失禁用レセプタクルの少なくとも２つのパネル（部品）間の分岐点を反映させるために使用される。
用語「失禁用レセプタクル」は、おむつ、ナプキンなどの物品を記載する。
さらに、本出願で使用される用語「裾」は、本発明によるパンツのさまざまな部品のエッジ、マージン、または境界を反映させない。
用語「裾」は、少なくとも２つのパンツのパネル（部品）が相互に接続されている前記エッジに近いエッジおよびエリアを反映させるために使用される。
【発明の概要】
【０００９】
［発明の詳細な記載］
本発明の本質は、パンツの前部の内側に陰茎用の分離したスペースを有する男性用パンツである。
【図面の簡単な説明】
【００１０】
以下に発明を図面を参照して詳細に記載する。
【図１ａ】図１ａは、前部外側パネル１の１部の図である。
【図１ｂ】図１ｂは、前部外側パネル１の２部の図である。
【図２】図２は、パンツの後部パネル２の図である。
【図３】図３は、パンツの側部パネル４の図である。
【図４】図４は、開口部８を形成する２つの内側パネル９および１０の図である。
【図５】図５は、パンツの外側の正面図を示す。
【図６】図６は、本発明の実施態様の１つによるパンツの内側前部側の図である。
【図７】図７は、パンツの外側裏側の図を示す。
【図８ａ】図８ａは、失禁用リセプタクル２４を示し、身体近傍のリセプタクルの部品２５が身体から離れたリセプタクルの部品２６に接続されていない。
【図８ｂ】図８ｂは、使える状態にある失禁用リセプタクルであり、部品２５は部品２６に接続されている。
【発明を実施するための形態】
【００１１】
図１〜図７を参照すると、本発明は、パンツの前部外側パネル１、後部パネル２、パンツの２つの同一の側部パネル４、および２つの部分からなる前部内側パネル１８を含む、陰茎用の分離スペースを有する男性用のパンツを開示する。後部パネル２は、後部パネル２の裾３を側部パネル４の裾６に接続することにより、後部パネル２の各側の両側部パネル４に接続されている。パンツは、２つ部品からなる内側前部パネル１８を裾５を介して側部パネル４の各々と接続することによって最後のレイアウトを取り、それによって、前部外側パネル１は、側部パネル４に裾（２２、５）を介して接続されている。陰茎のための分離スペースは、前部外側パネル１と２部品からなる前部内側パネル１８によって形成されている。パネル１および２部品からなるパネル１８は、両方の側部パネル４に接続されており、ここで、２つの部分からなる前部内側パネル１８は、パネル９と同じ形状の上部内側パネル９および内側パネル１０の２つの部分から形成されている。パネル９と１０は、互いに重なり合って開口部８を形成する。パネル９と１０は、互いに鏡像として配置され、開口部８を形成するように互いに重なり合う。より正確には、内側パネル９と内側パネル１０のそれぞれ湾曲した裾１９、２０は陰茎を分離した空間に挿入する機能を有する、円形状の自己調節可能な開口部８を形成する。自己調節可能な開口部８は、陰茎を包囲するように作られ、分離したスペースから落ちるのを防止する。開口部８は、男性用のパンツの中心線上に配置される。
【００１２】
内側パネル９と内側パネル１０の形状は同一であることを念頭に置くべきである。したがって、上記のＰＣＴ／ＨＲ２０１０／００００２５およびＰＣＴ／ＨＲ２０１２／００００１４の場合の２つの異なる内側パネルを裁断する必要はない。また、上部内側パネル９と重なり合う内側パネル１０とは、裾１６、１７を介して相互に接続されている。また、上部内側パネル９と重なり合う内側パネル１０とは、それぞれ裾１３、１４によって前記パネル９、１０の反対側から側部パネル４に接続されている。また、互いに接続された前記パネル９、１０は、それぞれ、裾１５および２３によって前部外側パネル１に接続され得る。さらに、パネル９および１０は、それぞれ、パネル９および１０から反対側に位置する側部パネル４の裾５に、裾１３および１４によってそれぞれ接続されている。
【００１３】
一方、上部内側パネル９は、裾１１の長さの一部によって、または全長に渡って、前記パネル９と同じ側にある側部パネル４にさらに接続されている。重ね合わされた内側パネル１０はさらに、長さの一部によって、または裾１２の全長によって前記パネルと同じ側の側部パネル４に接続されている。上部内側パネル９の一部と重ね合わされた内側パネル１０の一部の反対側の側部パネル４にそれぞれ裾１３、１４での接続、および前記パネル９、１０を前記側部パネル４と同じ側から連結するパネル９および１０の裾１１および１２の長さの一部分または全長による接続は、開口部８の長期にわたる最適な緊張性を確実にする簡単な解決策を提供する。
【００１４】
前述のパンツの部品間のこの特定の接続方法により、大量生産における開口部８の均一な緊張性が達成される。これは、出願に開示された発明の製造過程において、開口部８の所望の緊張性を作り出すために内側パネルを外側パネルに固定する必要があったためであり、前述のＰＣＴ出願ではそうではない。望ましい緊張性は測定可能な特徴ではなく、従ってそれに取り組んでいる人の感覚とその人の強さを受けやすく、それは、量産における開口部８の異なる緊張性を導く。
【００１５】
本発明の実施態様において、男性用パンツの前部外側パネル１は、陰茎挿入のための最適のスペースを設けるために２つの同一の部品を含む。
【００１６】
本発明の別の実施態様において、パネル９および１０の両方は、パネル９と１０のそれぞれ同じ側にある側部パネル４に、裾１１および裾１２の全長によって接続されている。
【００１７】
本発明のさらなる実施態様においては、パネル（９）および（１０）の少なくとも１つは、パネル（９）または（１０）と同じ側の側部パネル（４）に、裾（１１）または裾（１２）の一部によってのみ接続されているが、もう一方のパネル（９）または（１０）は、裾（１１）または裾（１２）の全長によって側部パネル（４）に接続されている。
【００１８】
本発明の別のさらなる実施態様においては、上部内側パネル９の湾曲した裾部１９は、分離したスペースに陰茎をより簡単に挿入するための手段を包含する。ループは、この目的のために使用される標準的な手段の１つである。
【００１９】
失禁問題に関して男性のパンツを考慮すると、その解決策は、本質的に、健康な男性のための男性用パンツの解決法と同じである。失禁問題の場合には、上部内側パネル９と重なり合う内側パネル１０とは、裾１５で相互に連結されるが、それらは、男性用パンツの裾１５、２３の接続によって前部外側パネル１に接続されるべきではない。その結果、陰茎挿入前に前部外側パネル１と前部内側パネル１８との間にセットすべき失禁用レセプタクル２４のアクセスが形成される。失禁用レセプタクル２４は、パネル１とパネル１８との間の空間に適合するように作られており、つまり、パネル１と同じ形状を有し、および男性用パンツのパネル１、１８内に適合する寸法を有する。開口２７は、失禁用レセプタクル２４が陰茎を受けることを可能にするために男性用パンツの開口部８に面している。開口２７は、失禁用レセプタクルの頂部から開口部８の下端まで延びている。本発明の一実施態様においては、開口２７はＵ字形の形状を有する。
【００２０】
さらに、男性用のパンツに失禁用レセプタクルを固定するための手段が提供される。本発明の一実施態様における固定手段は、開口部８を取り囲む開口２７の一部の粘着性の延長部である。本発明の好ましい実施態様においては、液体吸着または吸収層は、失禁用レセプタクルの両内側を覆う。最も好ましい実施態様においては、液体吸着または吸収層は、使用者の身体から離れた失禁用レセプタクルの内側にのみ設けられ、開口２７を備えた内側は、尿などの液体を失禁用レセプタクル内に保持する不浸透性層から作られる。本発明の別の実施態様においては、吸着または吸収層は、使用者の身体から離れた失禁用レセプタクルの内側（２６）と、失禁用レセプタクル（２４）の内側の身体（２５）近くの下部に設けられる。失禁用レセプタクル（２４）の容易な廃棄のために、粘着テープ（２９）が提供される。
【００２１】
［参照符号］
本願明細書および図面で使用される参照符号は、以下の意味を有する：
１．前部外側パネル
２．パンツの後部パネル
３．裾６に接続する裾
４．パンツの側部パネル
５．裾２２、裾１３または１４、および裾１１または１２に接続する裾
６．裾３に接続する裾
７．タイツ形成用のパンツの側部パネルの任意選択の部品
８．開口部
９．上部内側パネル
１０．重なり合った内側パネル
１１．裾５に接続した裾
１２．裾５に接続した裾
１３．裾５に接続した裾
１４．裾５に接続した裾
１５．両方の内側パネル９と１０の上部の裾
１６．裾１７に取付けられた裾
１７．裾１６に取付けられた裾
１８．前部内側パネル
１９．上部内側パネルの湾曲した裾
２０．重なり合った内側パネルの湾曲した裾
２１．陰茎挿入を可能にする開口部８の調節に適した手段
２２．側部パネル４の裾５に接続した前部外側パネル１の裾
２３．前部内側パネル１８の裾１５に接続し得る前部外側パネル１の裾
２４．失禁用レセプタクル
２５．身体に近い失禁用レセプタクルの側部
２６．身体から離れた失禁用レセプタクルの側部
２７．開口
２８．粘着性延長部
２９．接着テープ
【００２２】
当業者は、本発明の趣旨を逸脱することなく、パンツの設計の特定の変更が可能であることは明らかである。例えば、本発明の一実施態様においては、陰茎の反対側の位置決めが好ましい場合、パネル１０は上部内側パネルであり、パネル９は内側パネルと重なり合っている。したがって、内側パネル９および内側パネル１０の文脈における「上部」および「重なり合う」の限定は、請求項においては省略されている。この例は、本発明の範囲内で行い得る変更を限定するものではない。
【図１ａ】
2017526827.tif 000003
【図１ｂ】
2017526827.tif 000004
【図２】
2017526827.tif 000005
【図３】
2017526827.tif 000006
【図４】
2017526827.tif 000007
【図５】
2017526827.tif 000008
【図６】
2017526827.tif 000009
【図７】
2017526827.tif 000010
【図８ａ】
2017526827.tif 000011
【図８ｂ】
2017526827.tif 000012
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
前部外側パネル（１）、パンツの後部パネル（２）、２つの同一の側部パネル（４）、および２つの部品からなる前部内側パネル（１８）を有する陰茎用の分離スペースを有する男性用パンツであって、陰茎用の分離スペースは、前部外側パネル（１）および２つの部品からなる前部内側パネル（１８）によって形成され、前記外側パネル（１）および前記２つの部品からなる全部内側パネル（１８）は前記側部パネル（４）に接続され、前記２つの部品からなる前部内側パネル（１８）は第一の内側パネル（９）と第二の内側パネル（１０）とから形成され、前記第一の内側パネル（９）および前記第二の内側パネル（１０）の湾曲した裾（１９、２０）は、分離スペースに陰茎を挿入するための円形状の自己調節可能の開口部（８）を形成し、前記自己調節可能の開口部（８）は分離スペースから陰茎が落下するのを防止する方法で陰茎を取り囲み、前記パンツは、前記第一の内側パネル（９）および前記第二の内側パネル（１０）が、形状が同一で、裾（１６、１７）によって互いに接続され、前記第一および第二の内側パネル（９、１０）は前記第一および第二のパネル（９、１０）から反対側の側部パネル（４）にそれぞれ前記裾（１３、１４）によって接続され、それによって前記第一および第二の内側パネル（９、１０）とは、それぞれ前記第一および第二の内側パネル（９、１０）と同じ側で、それぞれ裾（１１、１２）の一部の長さまたは全長によって側部パネル（４）に接続されることを特徴とする前記男性用パンツ。
【請求項２】
前記前部外側パネル（１）が２つの同一の部品からなることを特徴とする、請求項１に記載する男性用パンツ。
【請求項３】
前記第一の内側パネル（９）および前記第二の内側パネル（１０）が裾（１５）を裾（２３）に取付けることによって前記前部外側パネル（１）に接続されることを特徴とする、請求項２に記載する男性用パンツ。
【請求項４】
前記パネル（９）および前記パネル（１０）の両方が、前記パネル（９）および前記パネル（１０）と同じ側の前記側部パネル（４）にそれぞれ裾（１１）および裾（１２）の全長によって接続されることを特徴とする、請求項３に記載の男性用パンツ。
【請求項５】
前記パネル（９）および前記パネル（１０）の少なくとも１つが、前記パネル（９）ま
たは前記パネル（１０）と同じ側の側部パネル（４）に、前記裾（１１）または前記裾（１２）の長さの一部によってのみ接続されており、もう一方の前記パネル（９）または前記パネル（１０）が、前記裾（１１）または前記裾（１２）の全長によって前記側部パネル（４）に接続されていることを特徴とする、請求項３に記載の男性用パンツ。
【請求項６】
少なくとも１つの前記湾曲した裾（１９,２０）が分離スペースに陰茎の挿入を可能に
するための手段（２１）を有することを特徴とする、請求項１〜５のいずれか一項に記載する男性用パンツ。
【請求項７】
前記挿入を可能にする手段がループであることを特徴とする、請求項６に記載する男性用パンツ。
【手続補正２】
【補正対象書類名】明細書
【補正対象項目名】００２１
【補正方法】変更
【補正の内容】
【００２１】
［参照符号］
本願明細書および図面で使用される参照符号は、以下の意味を有する：
１．前部外側パネル
２．パンツの後部パネル
３．裾６に接続する裾
４．パンツの側部パネル
５．裾１３または１４、および裾１１または１２に接続する裾
６．裾３に接続する裾
７．タイツ形成用のパンツの側部パネルの任意選択の部品
８．開口部
９．上部内側パネル
１０．重なり合った内側パネル
１１．裾５に接続した裾
１２．裾５に接続した裾
１３．裾５に接続した裾
１４．裾５に接続した裾
１５．両方の内側パネル９と１０の上部の裾
１６．裾１７に取付けられた裾
１７．裾１６に取付けられた裾
１８．前部内側パネル
１９．上部内側パネルの湾曲した裾
２０．重なり合った内側パネルの湾曲した裾
２１．陰茎挿入を可能にする開口部８の調節に適した手段
２２．側部パネル４に接続した前部外側パネル１の裾
２３．前部内側パネル１８の裾１５に接続し得る前部外側パネル１の裾
２４．失禁用レセプタクル
２５．身体に近い失禁用レセプタクルの側部
２６．身体から離れた失禁用レセプタクルの側部
２７．開口
２８．粘着性延長部
２９．接着テープ
【手続補正３】
【補正対象書類名】図面
【補正対象項目名】図６
【補正方法】変更
【補正の内容】
【図６】
2017526827.tif 000013
【国際調査報告】
2017526827.tif 000014
2017526827.tif 000015